(57)【要約】【課題】地上にあるゴルフボールを拾うときには、練習者やレッスンの先生が腰をかがめなければなず、そのときには隣の打席で練習している人のクラブに当たりそうになって、非常に危険である。同時に、腰をかがめたりするので、疲労しやすいという問題がある。【解決手段】下端が開口している収容筒４の外側面に支持管５を取付け、支持管５内に支持軸６が進退可能な状態で挿入され、支持軸６の先端部に収容筒４内に所定長さ突出している係止部１０が設けられている。これにより、係止部１０を進退させてボール１を収容筒４内に収容したり、収容筒４から落下させることができる。【選択図】                図２
2005103203.tif 000002
【特許請求の範囲】
【請求項１】
下端が開口している収容筒の外側面に支持管を取付け、支持管内に支持軸が進退可能な状態で挿入され、支持軸の先端部に収容筒内に所定長さ突出している係止部が設けられていることを特徴とするボール保持具。
【請求項２】
上記係止部の突出長さは、収容筒内のボールを下側から係止して落下しない長さである請求項１記載のボール保持具。
【請求項３】
上記支持軸を進退させる操作突起が支持軸に固定され、この操作突起は支持管にその長手方向に明けた所定長さの長孔から突出している請求項１または２記載のボール保持具。
【請求項４】
上記支持管内に支持軸を突出方向に付勢する付勢手段が配置され、上記係止部が収容筒内に突出している長さは、上記操作突起が長孔の下端部に当たっていることにより設定されている請求項３記載のボール保持具。
【請求項５】
上記支持管の端部に手持ちのためのグリップが取り付けられ、その近傍に上記操作突起が配置されている請求項３または４記載のボール保持具。
【請求項６】
上記収容筒の下端開口部の、収容筒に支持管が取り付けられている箇所の反対側に傾斜部が形成されている請求項１から５のいずれか１つに記載のボール保持具。
【発明の詳細な説明】
【技術分野】
【０００１】  本発明は、地面上にあるゴルフボール等のボールを簡単な操作と楽な姿勢で安全に保持するボール保持具に関するものである。
【背景技術】
【０００２】  ゴルフ練習場等においては、地面上にあるゴルフボールを拾い集めたり、練習マットの上にゴルフボールを置いたりすることが行われている。一方、地面上に多数あるゴルフボールを拾い集めるのは特殊車両で集めることが行われている。【０００３】  しかし、練習マットの近くでゴルフボールを所定位置に移動させたりするときには、練習者が手で行っている。
【特許文献１】特開２００３−１７５１３２号公報
【発明の開示】
【発明が解決しようとする課題】
【０００４】  ゴルフ練習場の練習マットの近くで地上にあるゴルフボールを拾うときには、練習者やレッスンの先生が腰をかがめなければなず、そのときには隣の打席で練習している人のクラブに当たりそうになって、非常に危険である。同時に、腰をかがめたりするので、疲労しやすいという問題がある。
【課題を解決するための手段】
【０００５】  本発明は、上記の問題点を解決するために発案されたものであり、請求項１記載の本発明によるボール保持具は、下端が開口している収容筒の外側面に支持管を取付け、支持管内に支持軸が進退可能な状態で挿入され、支持軸の先端部に収容筒内に所定長さ突出している係止部が設けられていることを特徴としている。
【発明の効果】
【０００６】  ボールを保持する人は、収容筒を上からボールに押し付けるようにしてボールを保持するときに、支持軸の先端部を収容筒内から後退させてボールを収容筒内に入れて、その後、支持軸の先端部を突出させてボールが収容筒から落下しないようにしてボール保持をする。収容筒内に保持されたボールは、収容筒を目的の箇所に位置させてから支持軸の先端部を収容筒から後退させるとボールは自重で収容筒から落下して、ボールが所定の位置に置かれる。このような操作は支持管を持って行うので、隣の練習者のクラブに接近することなく安全である。また、腰をかがめるようなことが不要であるから、疲労も軽減される。【０００７】  請求項２記載の発明は、上記係止部の突出長さは、収容筒内のボールを下側から係止して落下しない長さである請求項１記載のボール保持具である。このように、係止部が収容筒内のボールを下側から支持するので、ボールは収容筒内に保持された状態となり、保持したボールを目的の箇所に移動させることが簡単な操作でできる。【０００８】  請求項３記載の発明は、上記支持軸を進退させる操作突起が支持軸に固定され、この操作突起は支持管にその長手方向に明けた所定長さの長孔から突出している請求項１または２記載のボール保持具である。このため、操作突起を指で進退させることにより、支持軸を後退させて支持軸の係止部を収容筒の内部から後退させて、ボールを収容筒内に入れたり、収容筒内のボールを落下させることが簡単な操作で行える。【０００９】  請求項４記載の発明は、上記支持管内に支持軸を突出方向に付勢する付勢手段が配置され、上記係止部が収容筒内に突出している長さは、上記操作突起が長孔の下端部に当たっていることにより設定されている請求項３記載のボール保持具である。支持軸は付勢手段の付勢力により、係止部が収容筒内に突出する方向に押されているので、操作突起から手を離せば、操作突起が長孔の下端に当たって係止部の突出長さが所定長さに設定される。したがって、収容筒内のボールは係止部によって確実に支持される。また、ボールを収容筒内に入れるときには、操作突起を付勢手段の付勢力に抗して後退させることにより、簡単にボールの収容が行える。【００１０】  請求項５記載の発明は、上記支持管の端部に手持ちのためのグリップが取り付けられ、その近傍に上記操作突起が配置されている請求項３または４記載のボール保持具である。上記グリップを持った状態でグリップの近傍に配置された操作突起を動かして係止部を進退させ、ボールを収容筒内に入れたり、収容筒からボールを落下させることが簡単な指操作で行える。【００１１】  請求項６記載の発明は、上記収容筒の下端開口部の、収容筒に支持管が取り付けられている箇所の反対側に傾斜部が形成されている請求項１から５のいずれか１つに記載のボール保持具である。よって、収容筒内に係止部で保持されたボールを支持管を持って引き上げるときには、上記傾斜部により収容筒の開口端部が地面に引っ掛かることが回避でき、ボールの移動が簡単に行える。
【発明を実施するための最良の形態】
【００１２】  つぎに、本願発明の実施をするための最良に形態を図に基づいて説明する。
【実施例１】
【００１３】  図１から図３に示した第１の実施例について説明する。【００１４】  この実施例におけるボールは、比較的小さな直径のゴルフボールである。ゴルフボール１は地面２上に位置している。このゴルフボール１を保持するための用具が本発明のボール保持具３である。このボール保持具３は、ゴルフボール１を収容する円形断面の収容筒４と、収容筒４に接合された斜め上方に伸びている支持管５と、支持管５内に進退可能な状態で挿入されている支持軸６と、後述の操作突起７等から構成されている。【００１５】  支持管５の上端に持ちやすい形のグリップ８が固定され、その近くにピンで構成された操作突起７が突き出ている。グリップ８の近くの支持管５に、支持管５の長手方向に伸びる長孔９が明けてある。支持管５内に進退可能な状態で支持軸６が挿入され、その先端部が収容筒４内に突出して係止部１０を構成している。長孔９の下端部１０に操作突起９が当たることにより、収容筒４内への係止部１０の突出長さが最大長さＬ１（図３（Ｂ）参照）となる。この最大長さは、係止部１０の外周面がゴルフボール１を斜め下から支持して、ゴルフボール１が収容筒４から落下しない長さに設定されている。【００１６】  付勢手段である圧縮コイルスプリング１２が支持軸６の上端面とグリップ８の内面との間に挿入され、その張力で操作突起７が長孔９の下端部１１に当たっている。係止部１０の先端に斜め下向きとされた端面１３が形成されている。また、収容筒４の下端開口部の、収容筒４に支持管５が取り付けられている箇所の反対側に傾斜部１４が形成されている。この傾斜部１４は、収容筒４の下端開口部を斜めに切断することによって形成されている。【００１７】  ゴルフボール１を保持するときには、図１や図２に示すように、収容筒４をゴルフボール１の真上に位置させ、そのまま収容筒４を下降させる。すると、端面１３がゴルフボール１３の表面に当たるので、支持軸６は圧縮コイルスプリング１２を縮めながら後退し、係止部１０は図３（Ａ）に示すように、最小の突出長さＬ２となり、それによりゴルフボール１が図３（Ｂ）に示すように、収容筒４内に入る。この状態では、支持軸６は圧縮コイルスプリング１２の張力で押し戻されて、係止部１０の突出長さは最大長さＬ１となる。【００１８】  図３（Ｂ）に示した状態でゴルフボール１が入った収容筒４を目的の箇所に移動させ、親指で操作突起７を上方に引き上げると、係止部１０が後退してゴルフボール１は収容筒４から落下し、ゴルフボール１の保持と移動が完了する。【００１９】  上記の動作では、ゴルフボール１が端面１３を相対的に押し上げる事例を説明したが、それに代えて収容筒４内にゴルフボール１を入れるときに、操作突起７を引き上げて係止部１０を後退させてゴルフボール１を収容筒４内に保持するようにしてもよい。【００２０】  上記実施例の作用効果を列記すると、つぎのとおりである。【００２１】  請求項１記載の発明は、ボール１を保持する人は、収容筒４を上からボール１に押し付けるようにしてボール１を保持するときに、支持軸６の係止部１０を収容筒４内から後退させてボール１を収容筒４内に入れて、その後、支持軸６の係止部１０を突出させてボール１が収容筒４から落下しないようにしてボール保持をする。収容筒４内に保持されたボール１は、収容筒４を目的の箇所に位置させてから支持軸６の先端部を収容筒４から後退させると、ボール１は自重で収容筒４から落下して、ボール１が所定の位置に置かれる。このような操作は支持管５を持って行うので、隣の練習者のクラブに接近することなく安全である。また、腰をかがめるようなことが不要であるから、疲労も軽減される。【００２２】  請求項２記載の発明は、係止部１０が収容筒４内のボール１を下側から支持するので、ボール１は収容筒４内に保持された状態となり、保持したボール１を目的の箇所に移動させることが簡単な操作でできる。【００２３】  請求項３記載の発明は、操作突起７を指で進退させることにより、支持軸６を後退させて支持軸６の係止部１０を収容筒４の内部から後退させて、ボール１を収容筒４内に入れたり、収容筒４内のボール１を落下させることが簡単な操作で行える。【００２４】  請求項４記載の発明は、支持軸６は圧縮コイルスプリング１２の付勢力により、係止部１０が収容筒４内に突出する方向に押されているので、操作突起７から手を離せば、操作突起７が長孔９の下端部１１に当たって係止部１０の突出長さが所定長さに設定される。したがって、収容筒４内のボール１は係止部１０によって確実に支持される。また、ボール１を収容筒４内に入れるときには、操作突起７を圧縮コイルスプリング１２の付勢力に抗して後退させることにより、簡単にボール１の収容が行える。【００２５】  請求項５記載の発明は、上記グリップ８を持った状態でグリップ８の近傍に配置された操作突起７を動かして係止部１０を進退させ、ボール１を収容筒４内に入れたり、収容筒４からボール１を落下させることが簡単な指操作で行える。【００２６】  請求項６記載の発明は、収容筒４内に係止部１０で保持されたボール１を支持管５を持って引き上げるときには、上記傾斜部１４により収容筒４の開口端部が地面に引っ掛かることが回避でき、ボール１の移動が簡単に行える。
【実施例２】
【００２７】  この実施例は、収容筒４の長さを長くして、ボール１を複数個、例えば４個収容筒４内に収容するものである。それ以外の構成は、上記実施例と同じである。地面に転がっている複数個のボール１を順次図３のようにして収容して行くことにより、多数のボール１が収容でき、ゴルフ練習マットの上に順次置くことができる。それ以外の作用効果は、上記実施例と同じである。【００２８】  なお、上記実施例では、収容筒４は断面円形であるが、これを四角い断面形状にすることも可能である。
【産業上の利用可能性】
【００２９】  上記のように安全にしかも疲労を軽減してボールを保持できるので、多くの人々から喜ばれて、高い市場性が期待できる。
【図面の簡単な説明】
【００３０】
【図１】ボール保持具全体の形状を示す側面図である。
【図２】ボール保持具の断面図および部分的な平面図である。
【図３】ボールが収容されて行く過程を示す断面図である。
【図４】第２の実施例を示す側面図である。
【符号の説明】
【００３１】  １      ゴルフボール
３      ボール保持具
４      収容筒
５      支持管
６      支持軸
７      操作突起
８      グリップ
９      長孔
１０      係止部
１１      下端部
１２      圧縮コイルスプリング
１４      傾斜部
【図１】
2005103203.tif 000003
【図２】
2005103203.tif 000004
【図３】
2005103203.tif 000005
【図４】
2005103203.tif 000006